(57)【要約】      （修正有）【課題】冬期において、外乱の影響を最小限にして、安定的に居室を加湿する。【解決手段】建物２の居室３を調湿するための調湿システム１である。調湿システム１は、居室３の空間に面する壁、床又は天井のいずれかの少なくとも一部を構成する調湿建材７と、居室３に調湿された空気を供給するための調湿空気供給手段８とを含んでいる。調湿空気供給手段８は、空調機１５と、水蒸気を吸着した吸湿状態に調整された調湿材を内部に具える調湿チャンバー１６と、空調機１５で空調された相対湿度の低い空気を、調湿材が吸湿状態に調整された調湿チャンバー１６に供給するための第１流路１８と、調湿チャンバー１６を経由することにより相対湿度が高められた高湿空気を居室３に供給するための第２流路１９とを含む。【選択図】図１
2018071891.tif 000002
【特許請求の範囲】
【請求項１】
建物の居室を調湿するための調湿システムであって、
前記居室の空間に面する壁、床又は天井のいずれかの少なくとも一部を構成する調湿建材と、
前記居室に調湿された空気を供給するための調湿空気供給手段とを含み、
前記調湿空気供給手段は、
空調機と、
水蒸気を吸着した吸湿状態に調整された調湿材を内部に具える調湿チャンバーと、
前記空調機で空調された相対湿度の低い空気を、前記調湿材が前記吸湿状態に調整された前記調湿チャンバーに供給するための第１流路と、
前記調湿チャンバーを経由することにより相対湿度が高められた高湿空気を前記居室に供給するための第２流路とを含むことを特徴とする調湿システム。
【請求項２】
前記調湿チャンバーは、互いに独立した第１チャンバーと第２チャンバーとを含み、
前記調湿空気供給手段は、前記第１チャンバー及び前記第２チャンバーに、相対湿度の高い空気を交互に供給して、前記第１チャンバー及び前記第２チャンバーの前記調湿材を交互に前記吸湿状態とするための高湿空気供給手段をさらに含む請求項１記載の調湿システム。
【請求項３】
前記調湿空気供給手段は、前記第２流路を、前記第１チャンバー及び前記第２チャンバーに交互に切り替えて接続するための切替手段をさらに含む請求項２記載の調湿システム。
【請求項４】
前記居室は、第１居室と、第２居室とを含み、
前記第２流路は、前記第１居室に前記高湿空気を供給するものであり、
前記調湿空気供給手段は、
前記空調機で空調された相対湿度の低い空気を、前記第２居室に供給するための第３流路と、
前記第１居室及び前記第２居室の室内空気を前記空調機に供給するためのリターン手段とをさらに含む請求項１乃至３のいずれかに記載の調湿システム。
【請求項５】
前記調湿空気供給手段は、前記空調機に、外気を供給するための外気供給手段をさらに含む請求項１乃至４のいずれかに記載の調湿システム。
【発明の詳細な説明】
【技術分野】
【０００１】
本発明は、調湿システムに関し、詳しくは、冬期において、外乱（外気の変動）の影響を最小限にして安定的に居室を加湿するのに役立つ調湿システムに関する。
【背景技術】
【０００２】
従来、建物の居室の壁面等に、珪藻土等を用いた調湿パネルが広く用いられている。調湿パネルは、例えば、居室の空気の相対湿度が高い場合、水蒸気を自らに吸着することができる。また、居室の空気の相対湿度が低い場合、調湿パネルは、自らに吸着している水蒸気を空気中に放出する。従って、調湿パネルは、居室の空気を調湿することができる。
【先行技術文献】
【特許文献】
【０００３】
【特許文献１】特開２００４−７６４９４号公報
【発明の概要】
【発明が解決しようとする課題】
【０００４】
しかしながら、上述のような調湿パネルは、居室の空気の相対湿度に応じて、水蒸気の吸着及び放出が受動的に行われるので、例えば冬期において、居室を安定的に加湿することは困難であった。
【０００５】
本発明は、以上のような実情に鑑み案出なされたもので、冬期において、外乱の影響を最小限にして、安定的に居室を加湿するのに役立つ調湿システムを提供することを主たる目的としている。
【課題を解決するための手段】
【０００６】
本発明は、建物の居室を調湿するための調湿システムであって、前記居室の空間に面する壁、床又は天井のいずれかの少なくとも一部を構成する調湿建材と、前記居室に調湿された空気を供給するための調湿空気供給手段とを含み、前記調湿空気供給手段は、空調機と、水蒸気を吸着した吸湿状態に調整された調湿材を内部に具える調湿チャンバーと、前記空調機で空調された相対湿度の低い空気を、前記調湿材が前記吸湿状態に調整された前記調湿チャンバーに供給するための第１流路と、前記調湿チャンバーを経由することにより相対湿度が高められた高湿空気を前記居室に供給するための第２流路とを含むことを特徴とする。
【０００７】
本発明に係る前記調湿システムにおいて、前記調湿チャンバーは、互いに独立した第１チャンバーと第２チャンバーとを含み、前記調湿空気供給手段は、前記第１チャンバー及び前記第２チャンバーに、相対湿度の高い空気を交互に供給して、前記第１チャンバー及び前記第２チャンバーの前記調湿材を交互に前記吸湿状態とするための高湿空気供給手段をさらに含むのが望ましい。
【０００８】
本発明に係る前記調湿システムにおいて、前記調湿空気供給手段は、前記第２流路を、前記第１チャンバー及び前記第２チャンバーに交互に切り替えて接続するための切替手段をさらに含むのが望ましい。
【０００９】
本発明に係る前記調湿システムにおいて、前記居室は、第１居室と、第２居室とを含み、前記第２流路は、前記第１居室に前記高湿空気を供給するものであり、前記調湿空気供給手段は、前記空調機で空調された相対湿度の低い空気を、前記第２居室に供給するための第３流路と、前記第１居室及び前記第２居室の室内空気を前記空調機に供給するためのリターン手段とをさらに含むのが望ましい。
【００１０】
本発明に係る前記調湿システムにおいて、前記調湿空気供給手段は、前記空調機に、外気を供給するための外気供給手段をさらに含むのが望ましい。
【発明の効果】
【００１１】
本発明の調湿システムによれば、空調機で空調された相対湿度の低い空気を、調湿チャンバーを経由させ、相対湿度が高められた高湿空気として居室に供給して加湿することができる。
【００１２】
一方、空調機が例えばヒートポンプ式の場合、外気温度に依存して空調負荷が変動し、例えば、冬期の夜間時等では、温風吹出し温度が急激に低下することがある。このような空調空気は、調湿チャンバーを経由する際に受け取ることができる水蒸気量が減少し、ひいては、居室への加湿量が低下するおそれがある。本発明の調湿システムによれば、居室の空間に面する壁、床又は天井のいずれかの少なくとも一部を構成する調湿建材がさらに設けられているため、このような状況においても、調湿建材が居室に水蒸気を放出することで、居室を安定的に加湿することができる。
【００１３】
以上のように、本発明の調湿システムによれば、外乱の影響を最小限に抑えながら、冬期においても、安定的に居室を加湿することができる。
【図面の簡単な説明】
【００１４】
【図１】調湿システムを利用した建物一例を概念的に示す側面図である。
【図２】調湿建材の水蒸気の吸着量と相対蒸気圧との関係を示す平衡含水率曲線のグラフである。
【図３】調湿空気供給手段の部分拡大図である。
【図４】第１チャンバーの一例を示す斜視図である
【図５】第２チャンバーの一例を示す斜視図である。
【図６】図４の横断面図である。
【図７】本発明の他の実施形態の第１チャンバーの断面図である。
【図８】（ａ）は、第１吸着材の水蒸気の吸着量と相対蒸気圧との関係を示す平衡含水率曲線のグラフ、（ｂ）は、第２吸着材の水蒸気の吸着量と相対蒸気圧との関係を示す平衡含水率曲線のグラフである。
【図９】調湿材の水蒸気の吸着量と相対蒸気圧との関係を示す平衡含水率曲線のグラフである。
【図１０】調湿空気供給手段の処理手順の一例を示すフローチャートである。
【図１１】（ａ）は、放湿モードの第１チャンバー及び吸湿モードの第２チャンバーを示す図、（ｂ）は、吸湿モードの第１チャンバー及び放湿モードの第２チャンバーを示す図である。
【図１２】（ａ）は、シミュレーションで用いられた外気の温度及び絶対湿度と、時刻との関係を示すグラフ、（ｂ）は、シミュレーションで用いられた空調機の風量と、時刻との関係と示すグラフである。
【図１３】第１居室の相対湿度と時刻との関係を示すグラフである。
【図１４】第２居室の相対湿度と時刻との関係を示すグラフである。
【発明を実施するための形態】
【００１５】
以下、本発明の実施の一形態が図面に基づき説明される。なお、各図面は、発明の内容の理解を高めるためのものであり、誇張された表示が含まれる他、各図面間において、縮尺等は厳密に一致していない点が予め指摘される。
【００１６】
図１は、調湿システム１を利用した建物（住宅）２の一例を概念的に示す側面図である。調湿システム１は、建物２の居室３を調湿するためのものである。本実施形態では、例えば、冬期において、調湿システム１が、居室３を換気しながら、空調及び加湿する態様を説明する。
【００１７】
本実施形態の建物２は、例えば、優れた断熱性能、遮光性能及び気密性能を具えた工業化住宅として構成されている。本実施形態の調湿システム１による調湿性能を高めるために、建物２の気密性能（Ｃ値）が５．０cm2／ｍ2以下に設定されるのが望ましく、また、建物２の断熱性能（Ｑ値）が１．９Ｗ／ｍ2・Ｋ以下に設定されるのが望ましい。
【００１８】
居室３は、第１居室３Ａと、第２居室３Ｂとを含んでいる。第１居室３Ａと第２居室３Ｂとは、吹き抜け又は階段等の接続部分４を介して連通されている。本実施形態の第１居室３Ａは、建物２の２階の居室である場合が例示されているが、１階の居室であってもよい。
【００１９】
本実施形態の調湿システム１は、調湿建材７と、調湿空気供給手段８とを含んでいる。
【００２０】
調湿建材７は、居室３の湿度を調整しうる建材である。本実施形態の調湿建材７は、居室３の空間に面する壁１１、床１２、又は、天井１３のいずれかの少なくとも一部を構成している。
【００２１】
本実施形態の調湿建材７は、調湿材料を含むパネル状に形成されており、居室３の壁１１（例えば、内装下地材１１ａ）に固定されている。なお、調湿建材７は、例えば、調湿材料を含む内装下地材１１ａとして形成されてもよい。また、本実施形態の調湿建材７は、第１居室３Ａのみに設けられているが、第１居室３Ａ及び第２居室３Ｂの双方に設けられてもよい。
【００２２】
調湿材料としては、例えば、珪藻土、ゼオライト、セピオライトなどの多孔質鉱物、アタバルジャイト、モンモリロナイト、ゾノトライト、活性白土などの粘土鉱物の他、シリカゲル、アロフェン、イモゴライト、又は、炭類等が用いられる。
【００２３】
このような調湿建材７は、居室３の湿度が大きくなると、居室３の空間の水蒸気（湿気）を吸収して、居室３の湿度を下げることができる。また、調湿建材７は、居室３の湿度が小さくなると、吸収した水蒸気を放出して、居室３の湿度を上げることができる。従って、調湿建材７は、居室３を調湿するのに役立つ。
【００２４】
上記した調湿性能を効果的に発揮させるために、調湿建材７は、一般社団法人日本建材・住宅設備産業協会が定める調湿建材判定基準（以下、単に「判定基準」ということがある。）に適合するもの（調湿建材認定品の性能を有するもの）が望ましい。図２は、調湿建材７の水蒸気の吸着量と相対蒸気圧との関係の一例を示す平衡含水率曲線のグラフである。このような調湿建材７は、広い範囲の相対蒸気圧において、調湿性能を発揮でき、とりわけ、中湿度から高湿度での調湿性能を効果的に発揮することができる。
【００２５】
また、調湿建材７が壁１１の一部を構成する場合、壁１１の全面積に対する調湿建材７の配置面積が小さいと、居室３を十分に調湿できないおそれがある。逆に、調湿建材７の配置面積が大きくても、コストが必要以上に増大するおそれがある。このような観点より、調湿建材７の配置面積は、好ましくは、壁１１の全面積に対して１／４以上であり、また、好ましくは１／２以下である。なお、調湿建材７が床１２、又は、天井１３の一部を構成する場合、床１２又は天井１３の全面積に対する調湿建材７の配置面積については、同一範囲に設定されるのが望ましい。また、調湿建材７の厚さは、例えば、０．５〜４．０mm程度が望ましい。
【００２６】
調湿空気供給手段８は、空調機１５と、調湿チャンバー１６と、外気供給手段１７と、第１流路１８と、第２流路１９と、切替手段２０とを含んで構成されている。さらに、本実施形態の調湿空気供給手段８は、第３流路２３と、リターン手段２４と、高湿空気供給手段２５と、第４流路２６と、制御装置２７とを含んで構成されている。
【００２７】
本実施形態の空調機１５は、ヒートポンプ式の空気調和機である場合が例示される。空調機１５は、建物２の内部に設置された室内機１５ａと、建物２の外部に設置された室外機（図示省略）とをセットとして含んでいる。室内機１５ａは、熱源チャンバー２８内に格納されている。空調機１５は、冬期において、室内機１５ａで空調（加熱）された相対湿度の低い空気Ａｃを吹き出すことができる。
【００２８】
熱源チャンバー２８は、内部に断熱された空間を区画するケーシング２８ｃを具えている。本実施形態の熱源チャンバー２８は、接続部分４の一階部分に設けられている。熱源チャンバー２８は、第１入口３１と、第２入口３２と、第１出口３３と、第２出口３４とを含んで構成されている。
【００２９】
第１入口３１及び第２入口３２は、室内機１５ａの空気吸込口（図示省略）側に設けられている。第１入口３１は、リターン手段２４として構成され、第１居室３Ａ及び第２居室３Ｂの室内空気Ａｒを導入するためのものである。第２入口３２は、後述の外気供給手段１７を介して、外気Ａｏを取り込むためのものである。
【００３０】
第１出口３３及び第２出口３４は、室内機１５ａの空気吹出口（図示省略）側に設けられている。第１出口３３は、室内機１５ａで空調された相対湿度の低い空気Ａｃを、第１居室３Ａ側に吹き出すためのものである。第１出口３３は、第１流路１８に接続されている。第２出口３４は、室内機１５ａで空調された相対湿度の低い空気Ａｃを、第２居室３Ｂ側に吹き出すためのものである。第２出口３４は、第３流路２３に接続されている。
【００３１】
このような熱源チャンバー２８は、第１居室３Ａ及び第２居室３Ｂの室内空気Ａｒと新鮮な外気Ａｏとの混合気を、室内機１５ａの空気吸込口（図示省略）に供給することができる。そして、熱源チャンバー２８は、室内機１５ａが混合気を加熱した相対湿度の低い空気Ａｃを、換気及び空調用の空気として、第１出口３３及び第２出口３４から吹き出すことができる。
【００３２】
図３は、調湿空気供給手段８の部分拡大図である。調湿チャンバー１６は、その内部に、調湿材４２を具えるためのものである。本実施形態の調湿チャンバー１６は、互いに独立した第１チャンバー１６Ａ及び第２チャンバー１６Ｂを含んでいる。本実施形態の第１チャンバー１６Ａ及び第２チャンバー１６Ｂは、図１に示した居室３（第１居室３Ａ及び第２居室３Ｂ）よりも上方（本実施形態では、屋根３５と天井１３との間に形成された小屋裏３６）に配置されている。これにより、第１チャンバー１６Ａ及び第２チャンバー１６Ｂが、居室３を専有することを防ぎうる。
【００３３】
第１チャンバー１６Ａ及び第２チャンバー１６Ｂは、実質的に同一仕様を有している。本実施形態において、実質的に同一仕様とは、形状、容積及び調湿能力が同一であることを示している。第１チャンバー１６Ａ及び第２チャンバー１６Ｂは、並列的に用いられている。以下、代表的に、第１チャンバー１６Ａの一例が説明されるが、第２チャンバー１６Ｂも同様の構造を具えている点が指摘される。
【００３４】
図４は、第１チャンバー１６Ａの一例を示す斜視図である。図５は、第２チャンバー１６Ｂの一例を示す斜視図である。図６は、図４の横断面図である。図４及び図５に示されるように、第１チャンバー１６Ａ及び第２チャンバー１６Ｂは、内部に空間４３を区画するケーシング４１と、ケーシング４１内の空間４３に収容される調湿材４２とを含んでいる。
【００３５】
本実施形態のケーシング４１は、例えば、直方体状の空間４３を区画している。本実施形態の空間４３は、水平方向にのびており、側面視において横長矩形状に形成されている。ケーシング４１の水平方向の一端側には、空気が供給される入口４５が形成されている。ケーシング４１の水平方向の他端側には、空気が排出される出口４６が形成されている。これにより、ケーシング４１は、空間４３の内部において、入口４５から出口４６に向かう空気流れ（本実施形態では、水平方向の空気の流れ）を提供することができる。
【００３６】
本実施形態の入口４５及び出口４６は、それぞれ２つずつ設けられている。入口４５は、一方の入口４５ａと、他方の入口４５ｂとを含んでいる。出口４６は、一方の出口４６ａと、他方の出口４６ｂとを含んでいる。
【００３７】
ケーシング４１の形状については、内部に空間４３を区画しうるものであれば、任意の形状が採用され得る。好ましい態様では、ケーシング４１は、空間４３側の内層４１ａと、その外側の外層４１ｂとを含む多層構造を具えている。内層４１ａは、例えば、断熱材料で構成される。これにより、ケーシング４１の内部の空間４３が外部と断熱され、外部環境による内部の空気の温度（ひいては、相対湿度（相対蒸気圧））の変動を最小限に抑えることができる。これは、調湿材４２に安定した吸湿機能又は放湿機能を発揮させるのに有効である。
【００３８】
調湿材４２は、相対湿度の高い空気から水蒸気を吸着しうるとともに、相対湿度の低い空気に自らが吸着した水蒸気を放出しうる吸放湿性能を有するものである。図４及び図６に示されるように、本実施形態の調湿材４２は、シート状に形成されており、空気中の水蒸気を吸着しうるとともに、自らが吸着した水蒸気を空気中に放出しうる吸着材５１を含んで構成されている。
【００３９】
このような第１チャンバー１６Ａ及び第２チャンバー１６Ｂは、入口４５（一方の入口４５ａ又は他方の入口４５ｂ）から、相対湿度（即ち、相対蒸気圧）の高い空気（例えば、冬期では、低温の外気や小屋裏３６の空気）が供給されることにより、空気中の水蒸気を調湿材４２に吸着させることができる（吸湿モード）。これにより、調湿材４２は、水蒸気を吸着した吸湿状態に調整される。また、水蒸気が吸着された相対湿度の低い空気は、第１チャンバー１６Ａ及び第２チャンバー１６Ｂの出口４６（一方の出口４６ａ又は他方の出口４６ｂ）から取り出される。
【００４０】
さらに、第１チャンバー１６Ａ及び第２チャンバー１６Ｂは、入口４５（一方の入口４５ａ、他方の入口４５ｂ）から、相対湿度（即ち、相対蒸気圧）の低い空気（例えば、冬期では、暖房空調された空気）が供給されることにより、調湿材４２から空気中に水蒸気を放出させることができる（放湿モード）。これにより、第１チャンバー１６Ａ及び第２チャンバー１６Ｂは、相対湿度が高められた高湿空気を得ることができる。また、高湿空気は、第１チャンバー１６Ａ及び第２チャンバー１６Ｂの出口４６（一方の出口４６ａ又は他方の出口４６ｂ）から取り出される。
【００４１】
調湿材４２は、その表面がケーシング４１内の空気流れに沿うように、ケーシング４１内に間隔をあけて複数配置されている。即ち、調湿材４２の表面は、ケーシング４１内の水平方向に沿って配置されており、かつ、調湿材４２の平面と直角な方向に間隔をあけて複数配置されている。これにより、調湿材４２は、ケーシング４１内の空気との接触機会を高め、湿気交換面積を増大させ得る。
【００４２】
図６に示されるように、調湿材４２の入口４５側の端部４２ｓは、空気の流れ方向において、入口４５から距離Ｌ１を隔てた位置に設けられている。調湿材４２の出口４６側の端部４２ｔは、空気の流れ方向において、出口４６から距離Ｌ１を隔てた位置に設けられている。これにより、入口４５から供給された空気は、各調湿材４２の間の空隙に満遍なく供給され、かつ、出口４６から取り出すことができるため、広い範囲で吸放湿を行うことができる。好ましい態様では、距離Ｌ１は、５０〜２００mm程度が好適である。
【００４３】
本実施形態では、平滑なシート状に形成された調湿材４２が複数配列されたが、このような態様に限定されない。図７は、本発明の他の実施形態の第１チャンバー１６Ａの断面図である。第１チャンバー１６Ａ及び第２チャンバー１６Ｂは、例えば、ハニカム状やオニ段状（図示省略）に加工された調湿材４２が複数配列されてもよい。このような調湿材４２は、湿気交換面積を効果的に増大させることができる。
【００４４】
吸着材５１としては、適宜選択することができる。本実施形態の吸着材５１は、水蒸気の吸着性能が異なる第１吸着材５１ａ及び第２吸着材５１ｂを含んでいる。図８（ａ）は、第１吸着材５１ａの水蒸気の吸着量と相対蒸気圧との関係を示す平衡含水率曲線のグラフである。図８（ｂ）は、第２吸着材５１ｂの水蒸気の吸着量と相対蒸気圧との関係を示す平衡含水率曲線のグラフである。図８（ａ）、（ｂ）のグラフにおいて、水蒸気の吸着量は、２５℃の環境下で測定されたものである。
【００４５】
図８（ａ）に示されるように、本実施形態の第１吸着材５１ａは、２５℃の環境下で、相対蒸気圧０．４０での吸着量と相対蒸気圧０．１５での吸着量との差が０．１０kg／kg以上に設定されている。このような第１吸着材５１ａは、相対蒸気圧が０．１５となる低湿度から相対蒸気圧が０．４０となる中湿度にかけて、多くの水蒸気を吸着又は放出できる。即ち、第１吸着材５１ａは、相対蒸気圧が０．１５よりも高くなると、多くの水蒸気を吸着できる。また、第１吸着材５１ａは、相対蒸気圧が０．４０よりも低くなると、多くの水蒸気を放出することができる。第１吸着材５１ａの吸放湿量を効果的に高めるために、２５℃の環境下で、相対蒸気圧０．４０での吸着量と相対蒸気圧０．１５での吸着量との差は、０．１３kg／kg以上であるのが望ましい。
【００４６】
図６に示されるように、本実施形態の第１吸着材５１ａは、粉粒体状に構成されている。第１吸着材５１ａの粒径については、特に限定されるものではない。なお、粒径が大きくなると、強度及び加工性の悪化や、比表面積の減少による吸放湿スピードの低下を招くおそれがある。このような観点より、第１吸着材５１ａの粒径は、例えば、１００μm以下、より好ましくは１０μm以下である。
【００４７】
また、第１吸着材５１ａの細孔径についても、特に限定されない。なお、細孔径が大きいと、特定の低湿域での水蒸気の吸着量が低下するおそれがある。このような観点より、第１吸着材５１ａの細孔径は、２．４nm程度が望ましい。また、第１吸着材５１ａとしては、上記性能を有するものであれば、適宜採用されうる。本実施形態の第１吸着材５１ａとしては、Ａ形シリカゲルが用いられるのが望ましい。
【００４８】
図８（ｂ）に示されるように、本実施形態の第２吸着材５１ｂは、２５℃の環境下で、相対蒸気圧０．９５での吸着量と相対蒸気圧０．７０での吸着量との差が０．０８０kg／kg以上に設定されている。このような第２吸着材５１ｂは、相対蒸気圧が０．７〜０．９５となる高湿度において、多くの水蒸気を吸着又は放出できる。即ち、第２吸着材５１ｂは、高湿時において、相対蒸気圧が０．７０よりも高くなれば、多くの水蒸気を吸着できる。また、第２吸着材５１ｂは、相対蒸気圧が０．９５よりも低くなると、多くの水蒸気が放出される。第２吸着材５１ｂの吸放湿量を効果的に高めるために、２５℃の環境下で、相対蒸気圧０．９５での吸着量と相対蒸気圧０．７０での吸着量との差が０．０８５kg／kg以上、さらに好ましくは、０．０９０kg／kg以上である。
【００４９】
第２吸着材５１ｂとしては、上記性能を有するものであれば、適宜採用されうる。第２吸着材５１ｂとしては、例えば、パルプ繊維又は珪藻土が用いられるのが望ましい。図６に示されるように、本実施形態の第２吸着材５１ｂは、シート状に形成されたパルプ繊維として構成されている。本実施形態の第２吸着材５１ｂは、正面視略矩形の形状を有しているが、このような態様に限定されない。第２吸着材５１ｂは、第１吸着材５１ａを担持するのが望ましい。これにより、調湿材４２は、第１吸着材５１ａ及び第２吸着材５１ｂを一体として形成することができる。
【００５０】
このように、本実施形態の第１吸着材５１ａ及び第２吸着材５１ｂは、それぞれ異なる相対蒸気圧において、より多くの水蒸気を吸着又は放出することができるように設定されている。このため、本実施形態の調湿材４２は、低湿度から中湿度での調湿性能を、第１吸着材５１ａに主として発揮させうる。また、第１吸着材５１ａの調湿性能を十分に発揮できない高湿時においては、第２吸着材５１ｂに調湿性能を主として発揮させうる。
【００５１】
図９は、調湿材４２の水蒸気の吸着量と相対蒸気圧との関係を示す平衡含水率曲線のグラフである。図９のグラフは、調湿材全重量（即ち、第１吸着材５１ａの重量及び第２吸着材５１ｂの重量の総和）に対して、第１吸着材５１ａ及び第２吸着材５１ｂが５０％ずつ含まれる調湿材４２の平衡含水率曲線を示している。また、図９のグラフにおいて、水蒸気の吸着量は、２５℃の環境下で測定されたものである。
【００５２】
図９に示されるように、第１吸着材５１ａ及び第２吸着材５１ｂを含む調湿材４２は、広い範囲の相対蒸気圧において、調湿性能を発揮できる。しかも、調湿材４２は、低湿時において調湿性能を発揮しうる第１吸着材５１ａを含んでいるため、夏期に比べて居室３の相対湿度が著しく低くなる冬期において、調湿性能を効果的に発揮しうる。このような作用を効果的に発揮させるために、第１吸着材５１ａは、調湿材全重量（即ち、第１吸着材５１ａの重量及び第２吸着材５１ｂの重量の総和）に対して２０％〜８０％含まれるのが望ましい。
【００５３】
第１吸着材５１ａの吸放湿速度は、それを保持する担体（本実施形態では、第２吸着材５１ｂ）の熱容量の影響を受け、一般に、前記熱容量が小さいほど、吸放湿速度が向上することが判明している。このため、第２吸着材５１ｂの厚さＴ１については、０．５〜４．０mmが望ましい。
【００５４】
図１に示されるように、外気供給手段１７は、空調機１５に、外気Ａｏを供給するためのものである。本実施形態の外気供給手段１７は、基礎換気口５５と、床下空間５６と、ダクト部５７とを含んで構成されている。基礎換気口５５は、屋外Ｓｏと床下空間５６とを連通している。このような基礎換気口５５は、外気Ａｏを床下空間５６に導入することができる。床下空間５６は、基礎５８と地面５９と床１２とで囲まれた空間として構成されている。このような床下空間５６は、基礎換気口５５から導入された外気Ａｏを、地熱と熱交換することができる。ダクト部５７は、筒状に形成されている。ダクト部５７の一端は、熱源チャンバー２８の第２入口３２に接続されている。ダクト部５７の他端は、床下空間５６に接続されている。
【００５５】
このような外気供給手段１７は、床下空間５６で地熱と熱交換された外気Ａｏを空調機１５に供給できるため、空調コストを低減することができる。なお、本実施形態の外気供給手段１７は、地熱と熱交換された外気Ａｏを空調機１５に供給しているが、このような態様に限定されない。外気供給手段１７は、例えば、外気Ａｏを空調機１５に直接導入するものでもよい。
【００５６】
第１流路１８は、空調機１５で空調された相対湿度の低い空気Ａｃを、調湿チャンバー１６に供給するためのものである。本実施形態の第１流路１８は、筒状に形成されたダクトとして構成されている。なお、第１流路１８は、空気Ａｃを供給可能なものであれば、特に限定されない。例えば、間仕切り壁などの仕切り等（図示省略）で囲まれた空間で形成されてもよい。第１流路１８の一端側は、熱源チャンバー２８の第１出口３３に接続されている。第１流路１８の他端側は、調湿チャンバー１６に接続されている。図３に示されるように、第１流路１８の一端側と他端側との間には、第１切替具６１、並びに、第１切替具６１を介して分岐する第１分岐部６２Ａ及び第２分岐部６２Ｂを有している。
【００５７】
第１切替具６１は、第１分岐部６２Ａ又は第２分岐部６２Ｂに切り替えて接続可能な切換弁として構成されている。第１分岐部６２Ａの一端及び第２分岐部６２Ｂの一端は、第１切替具６１に接続されている。第１分岐部６２Ａの他端は、第１チャンバー１６Ａの一方の入口４５ａ（図４に示す）に接続されている。第２分岐部６２Ｂの他端は、第２チャンバー１６Ｂの一方の入口４５ａ（図５に示す）に接続されている。
【００５８】
このような第１流路１８は、空調機１５で空調された相対湿度の低い空気Ａｃを、第１切替具６１で接続された第１チャンバー１６Ａ又は第２チャンバー１６Ｂの一方に供給することができる。本実施形態の第１切替具６１は、調湿材４２が吸湿状態に調整された第１チャンバー１６Ａ又は第２チャンバー１６Ｂに切り替えられて接続される。これにより、調湿空気供給手段８は、調湿材４２が吸収した水蒸気を空気中に放出させて、相対湿度が高められた高湿空気Ａｗを取り出すことができる（放湿モード）。
【００５９】
また、本実施形態の第１流路１８は、その一端側（図１に示した熱源チャンバー２８側）から他端側（調湿チャンバー１６側）にかけて、気密に保たれるのが望ましい。これにより、第１流路１８は、空調機１５で空調された相対湿度の低い空気Ａｃを、他の空気と混合させることなく調湿チャンバー１６に供給することができる。空気Ａｃの相対湿度及び温度を維持するために、第１流路１８には、断熱材（図示省略）で覆われるのが望ましい。
【００６０】
第２流路１９は、調湿チャンバー１６を経由することにより、相対湿度が高められた高湿空気Ａｗを、居室３（本実施形態では、第１居室３Ａ）に供給するためのものである。本実施形態の第２流路１９は、第１流路１８と同様に、筒状に形成されたダクトとして構成されている。なお、第２流路１９は、高湿空気Ａｗを供給可能なものであれば、特に限定されるものではなく、例えば、間仕切り壁などの仕切り等（図示省略）で囲まれた空間で形成されてもよい。本実施形態の第２流路１９の一端側は、調湿チャンバー１６に接続されている。第２流路１９の他端側は、第１居室３Ａに接続されている。本実施形態の第２流路１９の一端側と他端側との間には、居室供給部６５、第１分岐部６６Ａ及び第２分岐部６６Ｂを含んで構成されている。
【００６１】
居室供給部６５の一端は、第１分岐部６６Ａと第２分岐部６６Ｂとの分岐点６９に接続されている。居室供給部６５の他端は、第１居室３Ａの供給口６７、６７に接続されている。居室供給部６５の一端側と他端側との間には、第１居室３Ａに、高湿空気Ａｗを分岐させて供給するための分岐チャンバー７０が設けられている。供給口６７には、風量を調整可能なダンパー（図示省略）が設けられている。
【００６２】
第１分岐部６６Ａの一端は、第１チャンバー１６Ａの一方の出口４６ａ（図４に示す）に接続されている。第２分岐部６６Ｂの一端は、第２チャンバー１６Ｂの一方の出口４６ａ（図５に示す）に接続されている。第１分岐部６６Ａの他端及び第２分岐部６６Ｂの他端は、分岐点６９に接続されている。
【００６３】
このような第２流路１９は、調湿チャンバー１６を経由することによって相対湿度が高められた高湿空気Ａｗを、居室３（本実施形態では、第１居室３Ａ）に供給することができる。また、第１居室３Ａに供給された室内空気Ａｒ（高湿空気Ａｗ）は、図１に示した接続部分４及びリターン手段２４を介して、空調機１５に供給される。
【００６４】
第２流路１９は、その一端側（調湿チャンバー１６側）から他端側（居室３側）にかけて、気密に保たれているのが望ましい。これにより、第２流路１９は、高湿空気Ａｗを、他の空気と混合させることなく第１居室３Ａに供給することができる。また、第２流路１９には、断熱材（図示省略）で覆われるのが望ましい。
【００６５】
切替手段２０は、第２流路１９を、第１チャンバー１６Ａ及び第２チャンバー１６Ｂに交互に切り替えて接続するためのものである。切替手段２０は、第１分岐部６６Ａと第２分岐部６６Ｂとの分岐点６９に設けられており、第１分岐部６６Ａ又は第２分岐部６６Ｂに交互に切り替えて接続可能な切換弁として構成されている。
【００６６】
切替手段２０は、空調機１５（図１に示す）で空調された相対湿度の低い空気Ａｃが供給された（即ち、放湿モードで運転している）第１チャンバー１６Ａ又は第２チャンバー１６Ｂに切り替えられて接続される。これにより、第２流路１９は、調湿材４２から水蒸気が放出されて相対湿度が高められた高湿空気Ａｗを、居室３（本実施形態では、第１居室３Ａ）に供給することができる。
【００６７】
このように、本実施形態の調湿空気供給手段８によれば、空調機１５で空調された相対湿度の低い空気Ａｃを、調湿チャンバー１６を経由させて相対湿度が高められた高湿空気Ａｗとして、居室３（本実施形態では、第１居室３Ａ）に供給して加湿することができる。
【００６８】
ところで、本実施形態の空調機１５は、ヒートポンプ式であるため、外気温度に依存して空調負荷が変動する。例えば、冬期の夜間時等では、温風吹出し温度が急激に低下することがある。このような空調された空気Ａｃは、相対湿度を十分に低くできないため、調湿チャンバー１６を経由する際に受け取ることができる水蒸気量が減少し、ひいては、居室３への加湿量が低下するおそれがある。
【００６９】
本実施形態の調湿システム１は、居室３（本実施形態では、第１居室３Ａ）の空間に、調湿建材７が設けられているため、このような状況においても、調湿建材７が居室３に水蒸気を放出することで、居室３を安定的に加湿することができる。従って、調湿システム１によれば、外乱の影響を最小限に抑えながら、冬期においても、安定的に居室３を加湿することができる。これにより、例えば、居室３の湿度とともに変動しがちな居住者の肌水分を、安定させることができるため、肌水分の変動によって生じやすい肌のトラブル（シワや炎症の発生）を効果的に防ぐことができる。また、調湿建材７は、第１居室３Ａに供給された高湿空気Ａｗに余分な水蒸気を吸収できるため、第１居室３Ａを過度に加湿するのを防ぐことができる。
【００７０】
図１に示されるように、第３流路２３は、空調機１５で空調された相対湿度の低い空気Ａｃを、第２居室３Ｂに供給するためのものである。本実施形態の第３流路２３は、第１流路１８や第２流路１９と同様に、筒状に形成されたダクトとして構成されている。なお、第３流路２３は、空気Ａｃを供給可能なものであれば、特に限定されるものではなく、例えば、間仕切り壁などの仕切り等（図示省略）で囲まれた空間で形成されてもよい。第３流路２３の一端は、熱源チャンバー２８の第２出口３４に接続されている。第３流路２３の他端は、各第２居室３Ｂの供給口６８に接続されている。供給口６８には、風量を調整可能なダンパー（図示省略）が設けられている。第３流路２３の一端側と他端側との間には、空気Ａｃを分岐させて各第２居室３Ｂに供給するための分岐チャンバー７１が設けられている。このような第３流路２３は、空調機１５で空調された相対湿度の低い空気Ａｃを、第２居室３Ｂに供給することができる。第２居室３Ｂに供給された室内空気Ａｒ（空気Ａｃ）は、接続部分４、及び、リターン手段２４を介して、空調機１５に供給される。
【００７１】
本実施形態の第２居室３Ｂは、第１居室３Ａに供給された高湿空気Ａｗの一部が、空調機１５を介してリターンされる。このため、調湿空気供給手段８は、第１居室３Ａとともに第２居室３Ｂも加湿することができる。
【００７２】
第３流路２３は、第２流路１９と同様に、その一端側（熱源チャンバー２８側）から他端側（居室３側）にかけて、気密に保たれているのが望ましい。これにより、第３流路２３は、空調機１５で空調された空気Ａｃを、他の空気と混合させることなく各第２居室３Ｂに供給することができる。また、第３流路２３には、断熱材（図示省略）で覆われるのが望ましい。
【００７３】
リターン手段２４は、第１居室３Ａ及び第２居室３Ｂの室内空気Ａｒを、空調機１５に供給するためのものである。本実施形態のリターン手段２４は、熱源チャンバー２８の第１入口３１として構成されている。本実施形態のリターン手段２４は、室内機１５ａの空気吸込口（図示省略）と、接続部分４との間を連通している。このようなリターン手段２４は、第１居室３Ａ及び第２居室３Ｂの室内空気Ａｒを、接続部分４を介して、室内機１５ａに供給することができる。
【００７４】
図３に示されるように、高湿空気供給手段２５は、第１チャンバー１６Ａ及び第２チャンバー１６Ｂの調湿材４２を交互に吸湿状態とするためのものである。本実施形態の高湿空気供給手段２５は、例えば、筒状に形成されたダクトによって形成されている。本実施形態の高湿空気供給手段２５の一端側は、屋外Ｓｏに接続されている。また、高湿空気供給手段２５の他端側は、第１チャンバー１６Ａ及び第２チャンバー１６Ｂに接続されている。高湿空気供給手段２５の一端側と他端側との間には、第２切替具７３、並びに、第２切替具７３を介して分岐する第１分岐部７４Ａ及び第２分岐部７４Ｂを有している。
【００７５】
第２切替具７３は、第１分岐部７１Ａ又は第２分岐部７４Ｂに交互に切り替えて接続可能な切換弁として構成されている。第１分岐部７４Ａの一端及び第２分岐部７４Ｂの一端は、第２切替具７３に接続されている。第１分岐部７４Ａの他端は、第１チャンバー１６Ａの他方の入口４５ｂ（図４に示す）に接続される。第２分岐部７４Ｂは、第２チャンバー１６Ｂの他方の入口４５ｂ（図５に示す）に接続されている。
【００７６】
冬期において、外気Ａａは、居室３内の空気よりも温度が低いため、相対湿度が高い。高湿空気供給手段２５は、相対湿度が高い空気（外気）Ａａを、第２切替具７３で接続された第１チャンバー１６Ａ又は第２チャンバー１６Ｂに供給することができる。本実施形態の第２切替具７３は、放湿モードで水蒸気を放出した調湿材４２を有する第１チャンバー１６Ａ又は第２チャンバー１６Ｂの一方に切り替えられて接続される。これにより、調湿空気供給手段８は、第１チャンバー１６Ａ又は第２チャンバー１６Ｂの調湿材４２に、空気中の水蒸気を吸着させて、吸湿状態に調整することができる（吸湿モード）。
【００７７】
本実施形態の高湿空気供給手段２５は、その一端側（屋外Ｓｏ側）から他端側（調湿チャンバー１６側）にかけて、気密に保たれているのが望ましい。これにより、高湿空気供給手段２５は、相対湿度の高い空気（外気）Ａａを、他の空気と混合させることなく調湿チャンバー１６に供給することができるため、空気中の水蒸気を調湿材４２に効果的に吸着させることができる。外気Ａａの相対湿度を維持するために、高湿空気供給手段２５には、断熱材（図示省略）で覆われるのが望ましい。
【００７８】
本実施形態の高湿空気供給手段２５は、外気Ａａを、第１チャンバー１６Ａ及び第２チャンバー１６Ｂに供給しているが、このような態様に限定されない。高湿空気供給手段２５は、例えば、小屋裏３６の空気を、第１チャンバー１６Ａ及び第２チャンバー１６Ｂに供給するものでもよい。冬期において、小屋裏３６の空気は、居室３内の空気よりも温度が低いため、相対湿度が高い。このため、このような実施形態の高湿空気供給手段２５においても、第１チャンバー１６Ａ及び第２チャンバー１６Ｂの調湿材４２を、交互に吸湿状態とすることができる。
【００７９】
第４流路２６は、調湿チャンバー１６を経由することにより相対湿度が低下した空気Ａｓを、居室外７６（本実施形態では、小屋裏３６）に排出するためのものである。第４流路２６は、第１流路１８等と同様に、筒状に形成されたダクトとして構成されている。なお、第４流路２６は、空気Ａｓを供給可能なものであれば、特に限定されるものではなく、例えば、間仕切り壁などの仕切り等（図示省略）で囲まれた空間で形成されてもよい。本実施形態の第４流路２６の一端側は、調湿チャンバー１６に接続されている。本実施形態の第４流路２６の他端側は、居室外７６に接続されている。また、第４流路２６の一端側と他端側との間には、第３切替具７７、並びに、第３切替具７７を介して分岐する第１分岐部７８Ａ及び第２分岐部７８Ｂを有している。
【００８０】
第３切替具７７は、第１分岐部７８Ａ又は第２分岐部７８Ｂに交互に切り替えて接続可能な切換弁として構成されている。第１分岐部７８Ａの一端は、第１チャンバー１６Ａの他方の出口４６ｂ（図４に示す）に接続される。第２分岐部７８Ｂの一端は、第２チャンバー１６Ｂの他方の出口４６ｂ（図５に示す）に接続される。第１分岐部７８Ａの他端及び第２分岐部７８Ｂの他端は、第３切替具７７に接続されている。
【００８１】
本実施形態の第３切替具７７は、高湿空気供給手段２５から相対湿度が高い空気（外気）Ａａが供給された（即ち、吸湿モードで運転している）第１チャンバー１６Ａ又は第２チャンバー１６Ｂの一方に切り替えられて接続される。これにより、第４流路２６は、調湿材４２に水蒸気が吸着された相対湿度の低い空気Ａｓを、居室外７６に排出することができる。また、第４流路２６には、第１分岐部７８Ａ及び第２分岐部７８Ｂを負圧にするための排気用のファン８０が設けられるのが望ましい。これにより、第１チャンバー１６Ａ又は第２チャンバー１６Ｂ内を負圧にして、相対湿度の低い空気Ａｓを居室外７６に効率よく排出することができる。
【００８２】
図１に示されるように、制御装置２７は、予め定められた処理手順に基づいて、空調機１５、切替手段２０、第１切替具６１（図３に示す）、第２切替具７３（図３に示す）、第３切替具７７（図３に示す）、及び、ファン８０（図３に示す）を制御するためのものである。制御装置２７は、ＣＰＵ（中央演算装置）からなる演算部（図示省略）と、制御手順が予め記憶されている記憶部（図示省略）と、記憶部から制御手順を読み込む作業用メモリ（図示省略）とを含んで構成されている。
【００８３】
図１０は、調湿空気供給手段８の処理手順の一例を示すフローチャートである。この処理手順は、制御装置２７（図１に示す）に記憶されている制御手順に基づいて実施される。
【００８４】
本実施形態の制御装置２７は、先ず、空調機１５の運転を開始する（ステップＳ１）。これにより、空調機１５で空調された相対湿度の低い空気Ａｃが、第３流路２３を介して、第２居室３Ｂに供給される。
【００８５】
次に、制御装置２７は、計時を開始した後（ステップＳ２）、第１チャンバー１６Ａを放湿モードに切り替えるとともに（ステップＳ３）、第２チャンバー１６Ｂを吸湿モードに切り替える（ステップＳ４）。本実施形態のステップＳ３及びステップＳ４は、同時に実施されている。図１１（ａ）は、放湿モードの第１チャンバー１６Ａ及び吸湿モードの第２チャンバー１６Ｂを示す図である。
【００８６】
ステップＳ３では、先ず、制御装置２７（図１に示す）が第１切替具６１を切り替えて、第１流路１８の第１分岐部６２Ａを介して、第１チャンバー１６Ａと空調機１５（図１に示す）とを連通させる。また、ステップＳ３では、制御装置２７（図１に示す）が切替手段２０を切り替えて、第２流路１９の第１分岐部６６Ａを介して、第１チャンバー１６Ａと分岐チャンバー７０（第１居室３Ａ）とを連通させている。これにより、ステップＳ３では、空調機１５で空調された相対湿度の低い空気Ａｃを、第１チャンバー１６Ａに経由させて第２流路１９に供給することができる（放湿モード）。
【００８７】
ステップＳ３において、第１チャンバー１６Ａの調湿材４２は、吸湿状態に調整された状態である。このような第１チャンバー１６Ａに、空調機１５（図１に示す）で空調された相対湿度の低い空気Ａｃが供給されることにより、調湿材４２に吸着している蒸気を放出させることができる。また、相対湿度が高められた高湿空気Ａｗは、第２流路１９を介して、第１居室３Ａ（図１に示す）に供給される。これにより、本実施形態の調湿空気供給手段８は、夏期に比べて居室３の相対湿度が著しく低くなる冬期において、第１居室３Ａを暖房しつつ効果的に加湿することができる。
【００８８】
図１に示されるように、第１居室３Ａに供給された高湿空気Ａｗは、接続部分４を介して、第２居室３Ｂに供給される。これにより、調湿空気供給手段８は、第２居室３Ｂの湿度の低下を防ぐことができる。第１居室３Ａ及び第２居室３Ｂの室内空気は、リターン手段２４を介して、空調機１５に供給される。これにより、空調機１５は、暖房空調された室内空気を再利用することができるため、空調コストを低減することができる。
【００８９】
図１１（ａ）に示されるように、ステップＳ４では、先ず、制御装置２７（図１に示す）が第２切替具７３を切り替えて、高湿空気供給手段２５の第２分岐部７４Ｂを介して、第２チャンバー１６Ｂと屋外Ｓｏ（図１に示す）とを連通させる。また、ステップＳ４では、制御装置２７（図１に示す）が第３切替具７７を切り替えて、第４流路２６の第２分岐部７８Ｂを介して、第２チャンバー１６Ｂと居室外７６（図１に示す）とを連通させる。さらに、制御装置２７（図１に示す）がファン８０を起動させる。これにより、ステップＳ４では、高湿空気供給手段２５から供給された相対湿度の高い空気（本実施形態では、外気Ａａ）を、第２チャンバー１６Ｂを経由させて、第４流路２６に供給することができる（吸湿モード）。
【００９０】
ステップＳ４において、第２チャンバー１６Ｂの調湿材４２は、放湿モードによって水蒸気をほとんど放出している状態である。このような第２チャンバー１６Ｂに、相対湿度の高い空気（外気）Ａａが供給されることにより、調湿材４２に水蒸気を吸着させることができる。これにより、ステップＳ４では、第２チャンバー１６Ｂの調湿材４２を吸湿状態に調整することができる。また、水蒸気が吸着された相対湿度の低い空気Ａｓは、第４流路２６を介して、居室外７６に排出される。さらに、居室外７６に排出された相対湿度の低い空気Ａｓは、換気口（図示省略）等を介して、屋外に排出される。これにより、本実施形態の調湿空気供給手段８は、居室３（図１に示す）の湿度や温度を低下させることもない。
【００９１】
次に、本実施形態の制御装置２７（図１に示す）は、予め定められた時間が経過したか否かを判断し（ステップＳ５）、結果が否定的である場合（ステップＳ５で、「Ｎ」）、ステップＳ３及びステップＳ４をループする。従って、予め定められた時間が経過するまで、第１チャンバー１６Ａを放湿モードで運転される一方、第２チャンバー１６Ｂを吸湿モードで運転される。上記「時間」は、任意に設定しうるが、例えば、第１チャンバー１６Ａ及び第２チャンバー１６Ｂに収容されている第１吸着材５１ａ及び第２吸着材５１ｂ（図６に示す）の吸放湿性能等に基づいて、第１吸着材５１ａ及び第２吸着材５１ｂが、水蒸気を完全に放出するまでのぎりぎりの時間として設定することができる。
【００９２】
次に、ステップＳ５の結果が肯定的である場合（ステップＳ５で、「Ｙ」）、制御装置２７は、これまでの計時をリセットし（ステップＳ６）、新たな計時を開始する（ステップＳ７）。
【００９３】
次に、本実施形態の制御装置２７は、第１チャンバー１６Ａを吸湿モードに切り替えるとともに（ステップＳ８）、第２チャンバー１６Ｂを放湿モードに切り替える（ステップＳ９）。本実施形態のステップＳ８及びステップＳ９は、同時に実施されている。図１１（ｂ）は、吸湿モードの第１チャンバー１６Ａ及び放湿モードの第２チャンバー１６Ｂを示す図である。
【００９４】
ステップＳ８では、先ず、制御装置２７（図１に示す）が第２切替具７３を切り替えて、高湿空気供給手段２５の第１分岐部７４Ａを介して、第１チャンバー１６Ａと屋外Ｓｏ（図１に示す）とを連通させる。また、ステップＳ８では、制御装置２７（図１に示す）が第３切替具７７を切り替えて、第４流路２６の第１分岐部７８Ａを介して、第１チャンバー１６Ａと居室外７６（図１に示す）とを連通させる。さらに、制御装置２７がファン８０を起動させる。これにより、ステップＳ８では、高湿空気供給手段２５から供給された相対湿度の高い空気（本実施形態では、外気）Ａａを、第１チャンバー１６Ａを経由させて、第４流路２６に供給することができる（吸湿モード）。
【００９５】
このように、ステップＳ８では、ステップＳ３において水蒸気を放出した調湿材４２に、相対湿度の高い空気（外気）Ａａが供給されるため、調湿材４２に水蒸気を吸着させることができる。また、水蒸気が吸着された相対湿度の低い空気Ａｓは、第４流路２６及び居室外７６（図１に示す）を介して、屋外Ｓｏに排出される。
【００９６】
ステップＳ９では、先ず、制御装置２７（図１に示す）が第１切替具６１を切り替えて、第１流路１８の第２分岐部６２Ｂを介して、第２チャンバー１６Ｂと空調機１５（図１に示す）とを連通させる。また、ステップＳ９では、制御装置２７（図１に示す）が切替手段２０を切り替えて、第２流路１９の第２分岐部６６Ｂを介して、第２チャンバー１６Ｂと分岐チャンバー７０（図１に示した第１居室３Ａ）とを連通させている。これにより、ステップＳ９では、空調機１５で空調された相対湿度の低い空気Ａｃを、第２チャンバー１６Ｂに経由させて第２流路１９に供給することができる（放湿モード）。
【００９７】
このように、ステップＳ９では、ステップＳ４において吸湿状態に調整された第２チャンバー１６Ｂの調湿材４２に、空調機１５で空調された相対湿度の低い空気Ａｃを供給できるため、調湿材４２に吸着した水蒸気を放出させることができる。また、水蒸気が放出された高湿空気Ａｗは、第２流路１９を介して、第１居室３Ａ（図１に示す）に供給される。従って、本実施形態の調湿空気供給手段８は、夏期に比べて居室３の相対湿度が著しく低くなる冬季において、第１居室３Ａを暖房しつつ効果的に加湿することができる。
【００９８】
次に、本実施形態の制御装置２７は、予め定められた前記時間が経過したか否かを判断し（ステップＳ１０）、結果が否定的である場合（ステップＳ１０で、「Ｎ」）、ステップＳ８及びステップＳ９をループする。従って、予め定められた時間が経過するまで、第１チャンバー１６Ａを吸湿モードで運転される一方、第２チャンバー１６Ｂを放湿モードで運転される。次に、ステップＳ１０の結果が肯定的である場合（ステップＳ１０で、「Ｙ」）、制御装置２７は、これまでの計時をリセットし（ステップＳ１１）、新たな計時を開始する（ステップＳ１）。以後、ステップＳ２以降が繰り返される。
【００９９】
以上述べたように、本実施形態の調湿空気供給手段８では、第１チャンバー１６Ａと第２チャンバー１６Ｂとは、常に、異なる運転モードとされる。従って、第１チャンバー１６Ａが放湿モードで運転されている間、第２チャンバー１６Ｂは吸湿モードで運転される。他方、第１チャンバー１６Ａが吸湿モードで運転されている間、第２チャンバー１６Ｂは放湿モードで運転される。従って、本実施形態の調湿空気供給手段８は、第１チャンバー１６Ａ又は第２チャンバー１６Ｂのそれぞれにおいて、放湿モードと吸湿モードとが交互に切り替えられることで、空調及び加湿された空気Ａｃを、居室３に連続的に、かつ、効率よく供給することができる。これにより、本実施形態の調湿システム１によれば、冬期において、安定的に居室３を加湿することができる。
【０１００】
以上、本発明の特に好ましい実施形態について詳述したが、本発明は図示の実施形態に限定されることなく、種々の態様に変形して実施しうる。
【実施例】
【０１０１】
図１に示した基本構造を有する建物が、コンピュータで取り扱い可能なモデルとして、コンピュータに入力された（実施例、及び、比較例１〜比較例３）。実施例では、居室の壁を構成する調湿建材と、居室に調湿された空気を供給するための調湿空気供給手段とを含む調湿システムが設定された。調湿空気供給手段は、図１０に示した処理手順に従って、第１チャンバー及び第２チャンバーを、放湿モードと吸湿モードとに切り替えて運転された。
【０１０２】
比較例１では、調湿建材及び調湿空気供給手段の双方が省略された。比較例２では、調湿建材が設定され、調湿空気供給手段が省略された。比較例３では、調湿建材が省略され、調湿空気供給手段が設定された。
【０１０３】
そして、実施例、及び比較例１〜比較例３の建物のモデルを用いて、冬期に加湿運転したときの第１居室及び第２居室の相対湿度を計算するシミュレーションが、コンピュータを用いて計算された。図１２（ａ）は、シミュレーションで用いられた外気の温度及び絶対湿度と、時刻との関係を示すグラフである。図１２（ｂ）は、シミュレーションで用いられた空調機の吹出口の風量と、時刻との関係と示すグラフである。シミュレーションの条件は次のとおりである。
・気象データ：ＳＭＡＳＨ外気データ（大阪）
・気象データの対象期間：１月４日〜１月６日（助走計算用：１月１日〜１月３日）
・建物：
気密性能（Ｃ値）：５．０cm2／ｍ2
断熱性能（Ｑ値）：１．９Ｗ／ｍ2・Ｋ
延床面積：１２３．０４ｍ2
第１居室：８畳室（２階  主寝室想定）
第２居室：２０畳室（１階  ＬＤＫ想定）
天井・壁：石膏ボード＋塩ビクロス仕上げ
・居住者：
人数：４名
第１居室での滞在人数：２名（２３：００〜６：００）
人体想定発湿量：３０ｇ／人・ｈ
・調湿建材：
配置場所：第１居室の壁
配置面積：８．６４ｍ2（第１居室の壁の全面積に対して１／４）
乾燥密度  ：１６４８kg／ｍ3
比熱      ：５８６Ｊ／kg・Ｋ
熱伝導率  ：０．３８Ｗ／ｍ・Ｋ
湿気伝導率：１０．３９ng／ｍ・ｓ・Ｐａ
平衡含水率曲線：図２
・調湿チャンバー：
第１チャンバーの各寸法：０．２２ｍ×０．２２ｍ×０．９ｍ
第２チャンバーの各寸法：０．２２ｍ×０．２２ｍ×０．９ｍ
第１チャンバーと第２チャンバーとの切替間隔：６０分
チャンバーの断熱材：
熱伝導率λ：０．０２８、厚さ：４０mm
・調湿材：
調湿材の配置枚数：４５枚（全面積：８．９１ｍ2）
調湿材の構造：ハニカム構造
第１吸着材：Ａ形シリカゲル（ＪＩＳ  Ｚ０７０１）：２５０ｇ／ｍ2
第２吸着材：パルプ繊維：２５０ｇ／ｍ2
乾燥密度  ：３７３kg／ｍ3
比熱      ：２６８５Ｊ／kg・Ｋ
熱伝導率  ：０．１１Ｗ／ｍ・Ｋ
湿気伝導率：１８．２７ng／ｍ・ｓ・Ｐａ
平衡含水率曲線：図９
・空調機（ヒートポンプ式）：
吹出口の温度：３５℃
吹出口の風量：最大１４２０ｍ3／ｈ
第１居室と第２居室の風量の分配：各５０％
・高湿空気供給手段：
外気の供給量：１５０ｍ3／ｈ
テストの結果を表１に示す。図１３は、第１居室の相対湿度と時刻との関係を示すグラフである。図１４は、第２居室の相対湿度と時刻との関係を示すグラフである。
【０１０４】
【表１】
2018071891.tif 000003
【０１０５】
テストの結果、実施例は、比較例１及び２に比べて、第１居室の相対湿度を高く維持でき、室内湿度環境を加湿状態に維持できた。また、実施例の第１居室の平均相対湿度は、４４％ＲＨに維持できた。このような平均相対湿度は、結露、カビ及びダニの発生を防ぎつつ、ウイルスの繁殖を防ぐのに効果的である。
【０１０６】
また、実施例は、比較例３に比べて、１８：００〜０：００の相対湿度の落ち込み（図１３に示す）を防ぎつつ、相対湿度の変動幅を小さくできた。さらに、図１４に示されるように、実施例は、比較例２に比べて、第２居室の相対湿度を高く維持することができた。従って、実施例は、居室を安定的に加湿することができた。
【符号の説明】
【０１０７】
１      調湿システム
２      建物
３      居室
７      調湿建材
８      調湿空気供給手段
１５      空調機
１６      調湿チャンバー
１８      第１流路
１９      第２流路
【図１】
2018071891.tif 000004
【図２】
2018071891.tif 000005
【図３】
2018071891.tif 000006
【図４】
2018071891.tif 000007
【図５】
2018071891.tif 000008
【図６】
2018071891.tif 000009
【図７】
2018071891.tif 000010
【図８】
2018071891.tif 000011
【図９】
2018071891.tif 000012
【図１０】
2018071891.tif 000013
【図１１】
2018071891.tif 000014
【図１２】
2018071891.tif 000015
【図１３】
2018071891.tif 000016
【図１４】
2018071891.tif 000017